(57)【要約】【課題】  パーソナルコンピュータ使用中に近くのテレビを操作するとき便利で、直感的な操作が行えるようにした遠隔制御装置及びその遠隔操作方法を提供する。【解決手段】  パーソナルコンピュータ１０のマウス１１は、パーソナルコンピュータ１０とは別の場所に設置されたテレビジョン受像機１５のリモコン機能の一部が備わっている。パーソナルコンピュータ１０で利用されるマウス１１は、テレビジョン受像機１５のリモコン操作用の制御機構１２と、テレビジョン受像機１５のリモコン操作に関わる遠隔操作信号、ここでは赤外線信号の発信機構１３を含んでいる。制御機構１２は、少なくともモード切換え制御部１２１を有して、マウス１１の一般的で簡単な操作のうち、所定の操作がテレビジョン受像機１５のリモコン操作に割り当てられるようになっている。【選択図】  図１
2006080724.tif 000002
【特許請求の範囲】
【請求項１】
パーソナルコンピュータで利用するポインティングデバイスに、前記パーソナルコンピュータとは別の場所に設置されたテレビジョン受像機のリモコン機能の一部が備わっている遠隔制御装置。
【請求項２】
前記ポインティングデバイスは機械式マウスであり、前記テレビジョン受像機のリモコン操作用の制御機構と、前記テレビジョン受像機のリモコン操作に関わる遠隔操作信号の発信機構を含んでいる請求項１記載の遠隔制御装置。
【請求項３】
前記ポインティングデバイスは光学式マウスであり、前記テレビジョン受像機のリモコン操作用の制御機構と、前記テレビジョン受像機のリモコン操作に関わる遠隔操作信号の発信機構を含んでいる請求項１記載の遠隔制御装置。
【請求項４】
パーソナルコンピュータで利用するマウスに、前記パーソナルコンピュータとは別の場所に設置されたテレビジョン受像機のリモコン機能の一部が備えられ、
前記マウスは、前記テレビジョン受像機のリモコン操作に移行するためのモード切換え制御部を有して前記マウスの所定の操作が前記テレビジョン受像機のリモコン操作に割り当てられる制御機構と、前記テレビジョン受像機のリモコン操作に関わる司令信号を送信する発信機構を含んでいる遠隔制御装置。
【請求項５】
前記モード切換え制御部は、前記マウスに設けられた外部入力部の操作に応じる機構である請求項４記載の遠隔制御装置。
【請求項６】
前記モード切換え制御部は、前記マウスの所定の状態を検知する機構である請求項４記載の遠隔制御装置。
【請求項７】
前記マウスは、その特定の操作に関し、少なくとも第１の操作が前記テレビジョン受像機のチャンネル切換え、第２の操作が前記テレビジョン受像機のボリューム調整の各機能を実現する請求項４〜６いずれか一つに記載の遠隔制御装置。
【請求項８】
前記マウスは、その特定の操作に関し、少なくとも第１の操作が前記テレビジョン受像機のチャンネル切換え、第２の操作が前記テレビジョン受像機のボリューム調整、第３の操作が前記テレビジョン受像機のオン／オフ制御の各機能を実現する請求項４〜６いずれか一つに記載の遠隔制御装置。
【請求項９】
前記マウスは、前記テレビジョン受像機のオン／オフ制御に応じるスイッチ部を含む請求項４〜８いずれか一つに記載の遠隔制御装置。
【請求項１０】
前記マウスは、前記テレビジョン受像機のリモコン機能の操作に関し、動かす速度のスレッショルドを前記パーソナルコンピュータ上からファームウェアの更新により設定可能とした請求項４〜９いずれか一つに記載の遠隔制御装置。
【請求項１１】
パーソナルコンピュータで利用するマウスが、前記パーソナルコンピュータとは別の場所に設置されたテレビジョン受像機のリモコンとしても用いられ、
前記テレビジョン受像機のリモコン操作に移行するためのモード切換え操作と、
前記マウスにおけるポインタ移動と同等の動作のうち、第１範囲の移動方向の制限をもって前記テレビジョン受像機のチャンネル切換えを行う第１操作と、
前記マウスにおけるポインタ移動と同等の動作のうち、第２範囲の移動方向の制限をもって前記テレビジョン受像機のボリューム調整を行う第２操作と、
を含む遠隔操作方法。
【請求項１２】
パーソナルコンピュータで利用するマウスが、前記パーソナルコンピュータとは別の場所に設置されたテレビジョン受像機のリモコンとしても用いられ、
前記テレビジョン受像機のリモコン操作に移行するためのモード切換え操作と、
前記マウスにおける左右のクリック操作に前記テレビジョン受像機のチャンネル切換えまたはボリューム調整を対応させる第１操作と、
前記マウスにおけるスクロール操作に前記テレビジョン受像機のボリューム調整またはチャンネル切換えを対応させる第２操作と、
を含む遠隔操作方法。
【請求項１３】
前記モード切換え操作は、前記マウスに付いている所定のボタンを押すまたは押し続けることにより達成される請求項１１または１２記載の遠隔操作方法。
【請求項１４】
前記マウスが光学式マウスの場合、前記モード切換え操作は、前記マウスをその下部から発射される光の反射光が所定値以下になる状態にすることにより達成される請求項１１または１２記載の遠隔操作方法。
【発明の詳細な説明】
【技術分野】
【０００１】
本発明は、パーソナルコンピュータ使用中におけるテレビ（テレビジョン受像機）の遠隔操作に好適な遠隔制御装置及び遠隔操作方法に関する。
【背景技術】
【０００２】
テレビを観ながらパーソナルコンピュータを使用するユーザーは少なくない。ここで想定するのは、パーソナルコンピュータとは別の場所に設置されたテレビが観得る位置で、ユーザーがパーソナルコンピュータを使用している状況である。パーソナルコンピュータはマウス等ポインティングデバイスを利用する。このような状況でテレビを操作する際には、マウスから手を離し、テレビのリモートコントローラ、つまりリモコン（またはビデオのリモコン）でチャンネル、ボリューム等各種の操作をすることが多い。
【０００３】
しかし、テレビを操作しようとしても手元にリモコンがない、リモコンが見つからないといったケースも少なくない。その場合、ユーザーはパソコンを使用している場所から離れてリモコンを手に入れ、操作することになる。近年、テレビ以外のＡＶ機器（ＶＴＲやＤＶＤレコーダ、ＣＤプレーヤ等）にもリモコンが付属されており、テレビのリモコンを捜し出す手間も余計にかかる。
【０００４】
従来、テレビを含めたＡＶ機器に対し、共通に使用することができるマルチリモコンの構成が開示されている（例えば、特許文献１参照）。これにより、数あるリモコンの中からテレビリモコンを捜し出すという手間は軽減される。しかし、幅広いユーザーの中には、操作の複雑さ、困難性を払拭できないユーザーが存在するものと考えられる。
【特許文献１】特開２００３−７８７７９号公報
【発明の開示】
【発明が解決しようとする課題】
【０００５】
パーソナルコンピュータとは別の場所に設置されたテレビが観得る位置で、ユーザーがパーソナルコンピュータを使用し、その合間にテレビを操作する。この場合、テレビのチャンネルやボリュームといった２大機能でさえも、テレビのリモコン（またはビデオのリモコンやマルチリモコン）を用いて操作しなければならない。従って、ユーザーはマウスから手を離してリモコンを操作する面倒がある。ましてや手元にリモコンがないと、捜す手間も余計にかかる。
【０００６】
本発明は上記のような事情を考慮してなされたもので、パーソナルコンピュータ使用中に近くのテレビを操作するとき便利で、直感的な操作が行えるようにした遠隔制御装置及びその遠隔操作方法を提供しようとするものである。
【課題を解決するための手段】
【０００７】
本発明に係る遠隔制御装置は、パーソナルコンピュータで利用するポインティングデバイスに、前記パーソナルコンピュータとは別の場所に設置されたテレビジョン受像機のリモコン機能の一部が備わっていることを特徴とする。
【０００８】
上記本発明に係る遠隔制御装置によれば、パーソナルコンピュータを扱うポインティングデバイスを離さずに、このポインティングデバイスを用いて、別の場所にある既存のテレビジョン受像機のリモコン操作ができる。
【０００９】
なお、上記本発明に係る遠隔制御装置は、好ましくは次のようないずれかの特徴を有してテレビジョン受像機のリモコン機能の一部を備える。
前記ポインティングデバイスは機械式マウスであり、前記テレビジョン受像機のリモコン操作用の制御機構と、前記テレビジョン受像機のリモコン操作に関わる遠隔操作信号の発信機構を含んでいることを特徴とする。
前記ポインティングデバイスは光学式マウスであり、前記テレビジョン受像機のリモコン操作用の制御機構と、前記テレビジョン受像機のリモコン操作に関わる遠隔操作信号の発信機構を含んでいることを特徴とする。
【００１０】
本発明に係る遠隔制御装置は、パーソナルコンピュータで利用するマウスに、前記パーソナルコンピュータとは別の場所に設置されたテレビジョン受像機のリモコン機能の一部が備えられ、前記マウスは、前記テレビジョン受像機のリモコン操作に移行するためのモード切換え制御部を有して前記マウスの所定の操作が前記テレビジョン受像機のリモコン操作に割り当てられる制御機構と、前記テレビジョン受像機のリモコン操作に関わる司令信号を送信する発信機構を含んでいる。
【００１１】
上記本発明に係る遠隔制御装置によれば、パーソナルコンピュータに利用されるマウスは、別の場所に設置された既存のテレビジョン受像機について一部のリモコン操作を可能にする。そのため、マウスにリモコン操作のモード切換え制御部、及び司令信号を送信する発信機構が設けられる。これにより、マウス本来の機能も損なわない直感的に理解し易い操作でもって、既存のテレビジョン受像機のリモコン操作ができる。
【００１２】
なお、上記本発明に係る遠隔制御装置は、好ましくは次のようないずれかの特徴を有してテレビジョン受像機のリモコン機能の一部を簡便に備える。
前記モード切換え制御部は、前記マウスに設けられた外部入力部の操作に応じる機構であることを特徴とする。
前記モード切換え制御部は、前記マウスの所定の状態を検知する機構であることを特徴とする。
前記マウスは、その特定の操作に関し、少なくとも第１の操作が前記テレビジョン受像機のチャンネル切換え、第２の操作が前記テレビジョン受像機のボリューム調整の各機能を実現することを特徴とする。
前記マウスは、その特定の操作に関し、少なくとも第１の操作が前記テレビジョン受像機のチャンネル切換え、第２の操作が前記テレビジョン受像機のボリューム調整、第３の操作が前記テレビジョン受像機のオン／オフ制御の各機能を実現することを特徴とする。
前記マウスは、前記テレビジョン受像機のオン／オフ制御に応じるスイッチ部を含むことを特徴とする。
前記マウスは、前記テレビジョン受像機のリモコン機能の操作に関し、動かす速度のスレッショルドを前記パーソナルコンピュータ上からファームウェアの更新により設定可能としたことを特徴とする。
【００１３】
本発明に係る遠隔操作方法は、パーソナルコンピュータで利用するマウスが、前記パーソナルコンピュータとは別の場所に設置されたテレビジョン受像機のリモコンとしても用いられ、前記テレビジョン受像機のリモコン操作に移行するためのモード切換え操作と、前記マウスにおけるポインタ移動と同等の動作のうち、第１範囲の移動方向の制限をもって前記テレビジョン受像機のチャンネル切換えを行う第１操作と、前記マウスにおけるポインタ移動と同等の動作のうち、第２範囲の移動方向の制限をもって前記テレビジョン受像機のボリューム調整を行う第２操作と、を含む。
【００１４】
また、本発明に係る遠隔操作方法は、パーソナルコンピュータで利用するマウスが、前記パーソナルコンピュータとは別の場所に設置されたテレビジョン受像機のリモコンとしても用いられ、前記テレビジョン受像機のリモコン操作に移行するためのモード切換え操作と、前記マウスにおける左右のクリック操作に前記テレビジョン受像機のチャンネル切換えまたはボリューム調整を対応させる第１操作と、前記マウスにおけるスクロール操作に前記テレビジョン受像機のボリューム調整またはチャンネル切換えを対応させる第２操作と、を含む。
【００１５】
上記それぞれ本発明に係る遠隔操作方法によれば、パーソナルコンピュータに利用されるマウスは、別の場所に設置された既存のテレビジョン受像機について一部のリモコン操作を可能にする。直感的なマウス操作に合うように、テレビジョン受像機の２大機能（チャンネル切換えとボリューム調整）を割り当てる。これにより、マウス本来の機能を損なわずに直感的に理解し易い操作でもって、既存のテレビジョン受像機の簡単なリモコン操作ができる。
【００１６】
なお、上記本発明に係る遠隔操作方法は、好ましくは次のようないずれかの特徴を有して、マウスにおけるテレビジョン受像機のリモコン操作への切換えを簡便に行う。
前記モード切換え操作は、前記マウスに付いている所定のボタンを押すまたは押し続けることにより達成されることを特徴とする。
前記マウスが光学式マウスの場合、前記モード切換え操作は、前記マウスをその下部から発射される光の反射光が所定値以下になる状態にすることにより達成されることを特徴とする。
【発明を実施するための形態】
【００１７】
図１は、本発明の第１実施形態に係る遠隔制御装置とその周辺を示す概観図である。また、図２は、上記遠隔制御装置の正面部の概観図である。
パーソナルコンピュータ１０は、デスクトップパソコンやノートパソコンを想定している。パーソナルコンピュータ１０のポインティングデバイスはマウス１１である。このマウス１１は、パーソナルコンピュータ１０とは別の場所に設置されたテレビジョン受像機１５のリモコン機能の一部が備わっている。テレビジョン受像機１５には、図示しない付属のリモコンが存在し、リモコンの司令信号（赤外線信号）を受け取る赤外線受光部１６が備えられている。
【００１８】
パーソナルコンピュータ１０で利用されるマウス１１は、テレビジョン受像機１５のリモコン操作用の制御機構１２と、テレビジョン受像機１５のリモコン操作に関わる遠隔操作信号、ここでは赤外線信号の発信機構１３を含んでいる（図２参照）。制御機構１２は、少なくともモード切換え制御部１２１を有して、マウス１１の一般的で簡単な操作のうち、所定の操作がテレビジョン受像機１５のリモコン操作に割り当てられるようになっている。
【００１９】
モード切換え制御部１２１は、マウス１１に設けられた外部入力部（例えばボタン等）の操作に応じる機構が考えられる。あるいは、モード切換え制御部１２１は、マウス１１の所定の状態、姿勢などを検知する機構が考えられる。これにより、マウス１１は本来の機能を損なうことなく、テレビジョン受像機１５のリモコンとして利用可能とする。
【００２０】
マウス１１は、本来はパーソナルコンピュータ１０で利用されるものである。そこで、テレビジョン受像機１５のリモコン機能としては、２大機能ともいうべきチャンネル切換えとボリューム調整の機能が付加されていれば利便性がよいと考えられる。さらに、テレビジョン受像機１５のオン／オフ制御機能が付加されれば、利便性がほぼ満たされると考えられる。
【００２１】
上記実施形態の構成によれば、パーソナルコンピュータ１０を扱うポインティングデバイス（例えばマウス１１）を離さずに、このポインティングデバイスを用いて、別の場所にある既存のテレビジョン受像機１５のリモコン操作ができる。マウス１１の簡単な操作で、少なくともテレビジョン受像機１５の２大機能（チャンネル切換えとボリューム調整）がリモコン操作できることにより、手元に適当なリモコンがないとき等、非常に便利である。
【００２２】
図３は、本発明の第２実施形態に係る遠隔制御装置と遠隔操作方法を説明するためのマウスの概観図である。前記第１実施形態に示すような、パーソナルコンピュータで利用されるマウスである。マウス２１は、別の場所に設置されたテレビジョン受像機（ＴＶ）のリモコン機能の一部、少なくともチャンネル切換えとボリューム調整の２大機能が備えられている。
【００２３】
マウス２１は、機械式マウスまたは光学式マウスが考えられる。マウス２１は、左右のボタン２２，２３を有する。その他、破線で囲む領域２４に、スクロール操作用のボタンまたはホイールを有するものも考えられる。ＴＶのリモコン操作用の制御機構２５は、モード切換え制御部２５１としてボタンＢ１を有する。ボタンＢ１は、ユーザーの親指または小指で押しやすい位置に設けられるとよい。制御機構２５は、ボタンＢ１を押し続けているとき、ＴＶのリモコン操作ができるようにされており、ここではマウス２１の上下左右の動きに対応させている。赤外ＬＥＤ部２７は、ＴＶのリモコン操作に応じた赤外線信号を出力する。
【００２４】
例えば、マウス２１の左／右方向Ａ１の動きでＴＶチャンネルの−／＋方向の選局が制御される。また、マウス２１の上／下方向Ａ２の動きでＴＶボリュームの大／小が制御される。ＴＶリモコン時のマウス２１の上下、左右の動きの判断は、例えば次のように規定させる。図示のように、第１象限〜第４象限に区切ったとき、第１象限−第３象限間の移動をマウス２１の上下移動、第２象限−第４象限間の移動をマウス２１の左右移動とする。点線斜線に示すように移動方向判定範囲に制限を持たせてもよい。また、ＴＶチャンネルの−／＋方向の選局は、マウス２１の左／右方向Ａ１の素早い動きでチャンネル一つ移動、マウス２１の左／右方向Ａ１のゆっくりとした連続動作でチャンネルの連続切替えが可能となる等の制御が考えられる。これらマウス２１の動きまたは操作に応じた制御、動かす速度のスレッショルドは、マウス２１が繋がるパーソナルコンピュータ上からファームウェアの更新により設定可能とする。
【００２５】
なお、マウス２１は、リモコン操作するＴＶのオン／オフ制御機能も付加されていればなおよい。例えば、ボタンＢ１を押し続けているとき、右のボタン２３を押す、またはダブルクリックする等である。その他、ボタンＢ１をダブルクリックするような制御も考えられる。すなわち、マウス２１は制御機構２５により、特定の操作を用いてＴＶのオン／オフ制御に応じるスイッチ部を構成する。このような制御も、パーソナルコンピュータ上からファームウェアの更新により設定可能としてもよい。また、マウス２１の左／右方向Ａ１の動きでＴＶボリュームの大／小が制御され、マウス２１の上／下方向Ａ２の動きでＴＶチャンネルの−／＋方向の選局が制御されるように、操作を逆にすることも考えられる。
【００２６】
図４は、本発明の第３実施形態に係る遠隔制御装置と遠隔操作方法を説明するためのマウスの概観図である。前記第１実施形態に示すような、パーソナルコンピュータで利用されるマウスである。マウス３１は、別の場所に設置されたテレビジョン受像機（ＴＶ）のリモコン機能の一部、少なくともチャンネル切換えとボリューム調整の２大機能が備えられている。
【００２７】
マウス３１は、機械式マウスまたは光学式マウスが考えられる。マウス３１は、左右のボタン３２，３３と、その間の領域にスクロール操作用のホイール３４を有する。ＴＶのリモコン操作用の制御機構３５は、モード切換え制御部３５１としてボタンＢ２を有する。制御機構３５は、ボタンＢ２を押し続けているとき、ＴＶのリモコン操作ができるようにされており、マウス３１のボタン３２，３３とホイール３４の操作に対応させている。赤外ＬＥＤ部３７は、ＴＶのリモコン操作に応じた赤外線信号を出力する。
【００２８】
例えば、マウス３１の左ボタン３２のクリックでＴＶチャンネル−方向の選局が、マウス３１の右ボタン３３のクリックでＴＶチャンネル＋方向の選局が制御される。また、マウス３１のホイール３４における上方向回転／下方向回転の動きでＴＶボリュームの大／小が制御される。また、ＴＶチャンネルの−／＋方向の選局は、マウス２１の左／右クリックの素早い動きでチャンネル一つ移動、マウス３１の左／右クリックのゆっくりとした連続動作でチャンネルの連続切替えが可能となる等の制御が考えられる。これらマウス３１の操作に応じた制御、クリック速度のスレッショルドは、マウス３１が繋がるパーソナルコンピュータ上からファームウェアの更新により設定可能とする。
【００２９】
なお、マウス３１は、リモコン操作するＴＶのオン／オフ制御機能も付加されていればなおよい。例えば、ボタンＢ２をダブルクリックするような制御も考えられる。このような制御も、パーソナルコンピュータ上からファームウェアの更新により設定可能としてもよい。また、破線で囲む領域３６に、ＴＶのオン／オフ制御が可能なボタンを有するものも考えられる。ボタンＢ２を押し続けているとき、破線で囲む領域３６のボタンを押してＴＶのオン／オフ制御する等である。その他、様々考えられる。
【００３０】
また、マウス３１は、ホイール３４を有していたが、ホイールの代わりに上下方向に動くスクロール操作用のボタンでもよい。その場合、スクロール操作用のボタンにおける上方向／下方向の動きでＴＶボリュームの大／小が制御される。
また、マウス３１は、左右ボタン３２，３３のクリックでＴＶボリュームの大／小が制御され、ホイール３４における上方向回転／下方向回転の動きでＴＶチャンネル＋／−方向の選局が制御されるように、操作を逆にすることも考えられる。
【００３１】
図５は、本発明の第４実施形態に係る遠隔制御装置と遠隔操作方法の一例を説明するマウスの概観図である。前記第１実施形態に示すような、パーソナルコンピュータで利用されるマウスである。マウス４１は、別の場所に設置されたテレビジョン受像機（ＴＶ）のリモコン機能の一部、少なくともチャンネル切換えとボリューム調整の２大機能が備えられている。
【００３２】
マウス４１は光学式マウスが考えられる。マウス４１は、左右のボタン４２，４３と、その間の領域にスクロール操作用のホイール４４を有する。ＴＶのリモコン操作用の制御機構４５は、モード切換え制御部４５１として反射光の検知器Ｓ１を有する。制御機構４５は、マウス４１が持ち上げられるなどして、マウス４１下部から発射される光の反射光が所定値以下になる状態を検知することで、ＴＶのリモコン操作ができるようにされており、マウス４１のボタン４２，４３とホイール４４の操作に対応させている。赤外ＬＥＤ部４７は、ＴＶのリモコン操作に応じた赤外線信号を出力する。
【００３３】
例えば、マウス４１の左ボタン４２のクリックでＴＶチャンネル−方向の選局が、マウス４１の右ボタン４３のクリックでＴＶチャンネル＋方向の選局が制御される。また、マウス４１のホイール４４における上方向回転／下方向回転の動きでＴＶボリュームの大／小が制御される。また、ＴＶチャンネルの−／＋方向の選局は、マウス４１の左／右クリックの素早い動きでチャンネル一つ移動、マウス４１の左／右クリックのゆっくりとした連続動作でチャンネルの連続切替えが可能となる等の制御が考えられる。これらマウス４１の操作に応じた制御、クリック速度のスレッショルドは、マウス４１が繋がるパーソナルコンピュータ上からファームウェアの更新により設定可能とする。
【００３４】
なお、マウス４１は、リモコン操作するＴＶのオン／オフ制御機能も付加されていればなおよい。例えば、破線で囲む領域４６に、ＴＶのオン／オフ制御が可能なボタンを有するものも考えられる。マウス４１を持ち上げるなどしてＴＶのリモコンモード状態にして破線で囲む領域４６のボタンを押し、ＴＶのオン／オフ制御する等である。その他、様々考えられる。
【００３５】
また、マウス４１は、ホイール４４を有していたが、ホイールの代わりに上下方向に動くスクロール操作用のボタンでもよい。その場合、スクロール操作用のボタンにおける上方向／下方向の動きでＴＶボリュームの大／小が制御される。
また、マウス４１は、左右ボタン４２，４３のクリックでＴＶボリュームの大／小が制御され、ホイール４４における上方向回転／下方向回転の動きでＴＶチャンネル＋／−方向の選局が制御されるように、操作を逆にすることも考えられる。
【００３６】
上記それぞれ実施形態に係る遠隔制御装置及び遠隔操作方法によれば、パーソナルコンピュータに利用されるマウス２１，３１，４１それぞれは、別の場所に設置された既存のテレビジョン受像機について一部のリモコン操作を可能にする。リモコン単体ではないので、乾電池も不要である。各実施形態とも、簡単で、また直感的なマウス操作に合うように、テレビジョン受像機の２大機能（チャンネル切換えとボリューム調整）を割り当てることができる。これにより、マウス本来の機能を損なわずに直感的に理解し易い操作でもって、既存のテレビジョン受像機の簡単なリモコン操作ができる。
【００３７】
以上説明したように本発明によれば、パーソナルコンピュータを扱うポインティングデバイスを離さずに、このポインティングデバイスを用いて、別の場所にある既存のテレビジョン受像機のリモコン操作ができる。このリモコン操作はポインティングデバイスの、簡単かつ直感的操作に合うように、テレビジョン受像機の少なくとも２大機能（チャンネル切換えとボリューム調整）を割り当てる。ポインティングデバイスにはトラックボール等があり、マウス以外のポインティングデバイスにも本発明は適用可能であると考えられる。この結果、パーソナルコンピュータ使用中に近くのテレビを操作するとき便利で、直感的な操作が行えるようにした遠隔制御装置及びその遠隔操作方法を提供することができる。
【図面の簡単な説明】
【００３８】
【図１】第１実施形態に係る遠隔制御装置とその周辺を示す概観図。
【図２】図１の構成における正面部の概観図。
【図３】第２実施形態に係る遠隔制御装置と遠隔操作方法によるマウスの概観図。
【図４】第３実施形態に係る遠隔制御装置と遠隔操作方法によるマウスの概観図。
【図５】第４実施形態に係る遠隔制御装置と遠隔操作方法によるマウスの概観図。
【符号の説明】
【００３９】
１０…パーソナルコンピュータ、１１，２１，３１，４１…マウス、１２，２５，３５，４５…制御機構、１２１，２５１，３５１，４５１…モード切換え制御部、１５…テレビジョン受像機、１６…赤外線受光部、２２，２３，３２，３３，４２，４３，Ｂ１，Ｂ２…ボタン、２７，３７，４７…赤外ＬＥＤ部、３４，４４…ホイール、Ｓ１…検知器。
【図１】
2006080724.tif 000003
【図２】
2006080724.tif 000004
【図３】
2006080724.tif 000005
【図４】
2006080724.tif 000006
【図５】
2006080724.tif 000007